(57)【要約】【課題】  ホルマリン薫蒸殺菌が行われる充填室等における清浄度の確保を実現できかつ比較的高濃度のホルマリンガスを充分に低減できるホルマリンガス除去装置及びホルマリンガス除去方法を提供する。【解決手段】  このホルマリンガス除去方法は、吸気口から空気を吸い込み、ホルマリンガスを分解し除去する触媒を含むフィルタ部を通して排気口から排出する第１ステップと、フィルタ部の下流側からの空気を加熱した後にフィルタ部の上流側に戻すようにして空気を加熱しながらフィルタ部を通して循環させる第２ステップと、を含む。【選択図】  図３
2005323809.tif 000002
【特許請求の範囲】
【請求項１】
吸気口と、排気口と、ホルマリンガスを分解し除去する触媒を含むフィルタ部と、前記吸気口から空気を吸い込み前記フィルタ部を通して前記排気口から排出させる空気吸込手段と、を装置筐体に設け、
前記フィルタ部の下流側または上流側からの空気を加熱した後に前記フィルタ部の上流側または下流側に送るようにして前記フィルタ部を通して循環可能に構成された加熱部を前記装置筐体に対し着脱自在に設けたことを特徴とするホルマリンガス除去装置。
【請求項２】
前記フィルタ部が金属酸化物触媒を含むことを特徴とする請求項１に記載のホルマリンガス除去装置。
【請求項３】
前記フィルタ部が多段に設けられていることを特徴とする請求項１または２に記載のホルマリンガス除去装置。
【請求項４】
前記フィルタ部の下流側にＨＥＰＡフィルタが配置されていることを特徴とする請求項１，２または３に記載のホルマリンガス除去装置。
【請求項５】
前記フィルタ部の上流側に連通した循環バイパス口を前記装置筐体に設け、前記加熱部が前記排気口と前記循環バイパス口とに取り付け可能な一対の配管部を有することを特徴とする請求項１乃至４のいずれか１項に記載のホルマリンガス除去装置。
【請求項６】
前記加熱部が加熱ヒータと、前記排気口からの空気を吸い込み前記循環バイパス口に向けて送るファンと、を有することを特徴とする請求項１乃至５のいずれか１項に記載のホルマリンガス除去装置。
【請求項７】
吸気口から空気を吸い込み、ホルマリンガスを分解し除去する触媒を含むフィルタ部を通して排気口から排出する第１ステップと、
前記フィルタ部の下流側からの空気を加熱した後に前記フィルタ部の上流側に戻すようにして前記空気を加熱しながら前記フィルタ部を通して循環させる第２ステップと、を含むことを特徴とするホルマリンガス除去方法。
【請求項８】
前記フィルタ部が金属酸化物触媒を含むことを特徴とする請求項７に記載のホルマリンガス除去方法。
【請求項９】
前記フィルタ部が多段に設けられていることを特徴とする請求項７または８に記載のホルマリンガス除去方法。
【請求項１０】
前記フィルタ部の下流側に配置されたＨＥＰＡフィルタで空気を清浄化することを特徴とする請求項７，８または９に記載のホルマリンガス除去方法。
【請求項１１】
前記第１ステップと前記第２ステップを繰り返して実行することを特徴とする請求項７乃至１０のいずれか１項に記載のホルマリンガス除去方法。
【請求項１２】
着脱自在の加熱部を前記フィルタ部の上流側に連通した循環バイパス口と前記排気口とに取り付けることで前記第２ステップを実行することを特徴とする請求項７乃至１１のいずれか１項に記載のホルマリンガス除去方法。
【請求項１３】
前記加熱部を前記循環バイパス口と前記排気口とから取り外すことで前記第１ステップに戻ることを特徴とする請求項１２に記載のホルマリンガス除去方法。
【請求項１４】
前記第２ステップは、前記フィルタ部の上流側からの空気を加熱した後に前記フィルタ部の下流側に送るようにして前記空気を加熱しながら前記フィルタ部を通して循環させることで実行することを特徴とする請求項７乃至１３のいずれか１項に記載のホルマリンガス除去方法。
【発明の詳細な説明】
【技術分野】
【０００１】
本発明は、室内の空気に含まれるホルマリンガスを除去するホルマリンガス除去装置及びホルマリンガス除去方法に関する。
【背景技術】
【０００２】
ホルマリンガスは細菌、真菌、ウイルスなどの殺菌に広く使用されており、例えば、大学医学部や製薬会社や化学薬品会社等の動物実験室では、実験後に動物を処理したり、遺伝子実験を行ったり、また感染症細菌（ＳＡＲＳや鳥インフルエンザウイルスなど）を扱うので、動物実験室は完全な殺菌が必要とされており、実験後には室内をホルマリン薫蒸殺菌している。また、製薬工場内の充填室は、特別の清浄度が必要とされており、給気ファンによる給気及び排気ファンによる排気を行いながらＨＥＰＡフィルタによる循環換気を２４時間続け、室内の清浄度を上げるのに、壁や床の影響、機械類の運転による影響、扉や照明器具等の影響、ダクトやファン等の空調機器の影響などのため、例えば、１年程度必要であり、また、定期的に（例えば、１週間に１回程度）室内をホルマリン薫蒸殺菌している。
【０００３】
上述のようなホルマリン薫蒸後の排ガスは外気に放出していたが、環境問題となるため環境基準等で規制されており、外気放出の前にフィルタ等による吸着処理が行われている。しかし、ホルマリン薫蒸殺菌は頻繁に行われ、排ガスをフィルタによる吸着処理しても、燻蒸終了後にホルマリンガス成分が実験室や充填室の壁等やフィルタに付着して残留し、実験室や充填室内のホルマリンガス濃度が高くなってしまう。また、フィルタをリフレッシュするときには、フィルタをフィルタ装置から取り出してリフレッシュ処理するが、かかるフィルタの取り出しにより充填室内の清浄度を確保できなくなってしまう。
【０００４】
下記特許文献１は、空気を吸入する吸引口、吸引口の内側に配置され外側から順にプレフィルタ、ホルムアルデヒド分解除去フィルタ及び高性能フィルタを積層させたフィルタ部、フィルタ部に接続される吸引・送気部、フィルタ部を通過し処理された空気を排出するための排気口及び制御部を備えるホルムアルデヒド分解除去装置を開示する。このホルムアルデヒド分解除去装置を、上述のようなホルマリンガス・ホルムアルデヒド濃度低減のために使用することができるが、フィルタ交換等のためにフィルタを取り出すとき、特に、製薬工場内の充填室では、その清浄度が低下してしまい、清浄度の確保が難しくなる。
【０００５】
また、下記特許文献２は、ホルムアルデヒドガスを発生させるとともに被処理ガスまたは触媒を加熱せずにホルムアルデヒドの分解処理を行えるホルムアルデヒド発生・分解装置を開示する。この装置では、所定のホルムアルデヒド発生装置とホルムアルデヒド分解用の触媒を備えたホルムアルデヒド分解装置とをユニット化し、処理対象となる部屋に容易に移動することが可能な構成とし、ホルムアルデヒド発生装置を通る第１のシャッター経路と、ホルムアルデヒド分解装置を通る第２のシャッター経路を設け、燻蒸処理を行う場合には、第１のシャッター経路を開き、第２のシャッター経路を閉じて、ホルムアルデヒドを発生させ、また、ホルムアルデヒドの分解処理を行う場合には、第１のシャッター経路を閉じ、第２のシャッター経路を開いて、被処理ガスまたは触媒を加熱せずに、常温で被処理ガスを循環させるようになっている。この装置は、加熱せずに常温でホルムアルデヒドを触媒で分解するが、触媒等の取り換え等のために触媒を取り出すとき、清浄度の確保が困難となる。
【特許文献１】特開２０００−７０６７０号公報
【特許文献２】特開２００１−２１２４３１号公報
【発明の開示】
【発明が解決しようとする課題】
【０００６】
本発明は、上述のような従来技術の問題に鑑み、ホルマリン薫蒸殺菌が行われる充填室等における清浄度の確保を実現できかつ比較的高濃度のホルマリンガスを充分に低減できるホルマリンガス除去装置及びホルマリンガス除去方法を提供することを目的とする。
【課題を解決するための手段】
【０００７】
上記目的を達成するために、本発明によるホルマリンガス除去装置は、吸気口と、排気口と、ホルマリンガスを分解し除去する触媒を含むフィルタ部と、前記吸気口から空気を吸い込み前記フィルタ部を通して前記排気口から排出させる空気吸込手段と、を装置筐体に設け、前記フィルタ部の下流側または上流側からの空気を加熱した後に前記フィルタ部の上流側または下流側に送るようにして前記フィルタ部を通して循環可能に構成された加熱部を前記装置筐体に対し着脱自在に設けたことを特徴とする。
【０００８】
このホルマリンガス除去装置によれば、吸気口からの空気をフィルタ部を通して排気口から排出させることで空気中に含まれるホルマリンガスを分解し除去する一方、加熱部を取り付けることでフィルタ部の下流側からの空気を加熱してフィルタ部の上流側に戻す（またはフィルタ部の上流側からの空気を加熱してフィルタ部の下流側に送る）ようにしてバイパスさせて循環させながら加熱された空気をフィルタ部を通過させることで、フィルタ部に付着したホルマリンガス成分や中間生成物を放散させて除去することができ、触媒によるホルマリンガス分解効果を高い状態に維持できる。このため、フィルタ部を取り出さずにフィルタ部に付着した付着物を除去してフィルタ部をリフレッシュできるので、例えばホルマリン薫蒸殺菌が行われる充填室や実験室等に設置した場合に室内の清浄度の確保を実現できるとともに、触媒によるホルマリンガス分解効果を高い状態に維持でき、比較的高濃度のホルマリンガスを充分に低減できる。
【０００９】
上記ホルマリンガス除去装置において前記フィルタ部が金属酸化物触媒を含むことで、ホルマリンガスを効率的に分解することができて好ましい。金属酸化物触媒として例えば過マンガン酸カリウム触媒等がある。
【００１０】
また、前記フィルタ部が多段に設けられていることが好ましく、これにより、ホルマリンガスをより確実に分解できる。また、前記フィルタ部の下流側にＨＥＰＡフィルタが配置されていることが好ましく、空気の更なる清浄化に効果的である。
【００１１】
また、前記フィルタ部の上流側に連通した循環バイパス口を前記装置筐体に設け、前記加熱部が前記排気口と前記循環バイパス口とに取り付け可能な一対の配管部を有するように構成できる。これにより、加熱部を装置筐体に対し容易に着脱できる。
【００１２】
また、前記加熱部が加熱ヒータと、前記排気口からの空気を吸い込み前記循環バイパス口に向けて送るファンと、を有することが好ましい。
【００１３】
本発明によるホルマリンガス除去方法は、吸気口から空気を吸い込み、ホルマリンガスを分解し除去する触媒を含むフィルタ部を通して排気口から排出する第１ステップと、前記フィルタ部の下流側からの空気を加熱した後に前記フィルタ部の上流側に戻すようにして前記空気を加熱しながら前記フィルタ部を通して循環させる第２ステップと、を含むことを特徴とする。
【００１４】
このホルマリンガス除去方法によれば、吸気口からの空気をフィルタ部を通して排気口から排出させることで空気中に含まれるホルマリンガスを分解し除去する一方、フィルタ部の下流側からの空気を加熱してフィルタ部の上流側に戻すようにして循環させながら加熱された空気をフィルタ部を通過させることで、フィルタ部に付着したホルマリンガス成分や中間生成物を放散させて除去することができ、触媒によるホルマリンガス分解効果を高い状態に維持できる。このため、フィルタ部を取り出さずにフィルタ部に付着した付着物を除去してフィルタ部をリフレッシュできるので、例えばホルマリン薫蒸殺菌が行われる充填室や実験室等における清浄度の確保を実現できるとともに、触媒によるホルマリンガス分解効果を高い状態に維持でき、比較的高濃度のホルマリンガスを充分に低減できる。
【００１５】
上記ホルマリンガス除去方法において前記フィルタ部が金属酸化物触媒を含むことで、ホルマリンガスを効率的に分解することができて好ましい。金属酸化物触媒として例えば過マンガン酸カリウム触媒等がある。
【００１６】
また、前記フィルタ部が多段に設けられていることが好ましく、これにより、ホルマリンガスをより確実に分解できる。また、前記フィルタ部の下流側に配置されたＨＥＰＡフィルタで空気を清浄化することが好ましい。
【００１７】
また、前記第１ステップと前記第２ステップを繰り返して実行することで、清浄度の確保の実現及びホルマリンガスの充分な低減の各効果を確実に得ることができる。
【００１８】
また、着脱自在の加熱部を前記フィルタ部の上流側に連通した循環バイパス口と前記排気口とに取り付けることで前記第２ステップを実行することができる。また、前記加熱部を前記循環バイパス口と前記排気口とから取り外すことで前記第１ステップに容易に戻ることができる。
【００１９】
また、前記第２ステップは、前記フィルタ部の上流側からの空気を加熱した後に前記フィルタ部の下流側に送るようにして前記空気を加熱しながら前記フィルタ部を通して循環させることで実行するようにしてもよい。
【発明の効果】
【００２０】
本発明のホルマリンガス除去装置及びホルマリンガス除去方法によれば、ホルマリン薫蒸殺菌が行われる充填室や実験室等における清浄度の確保を実現できかつ比較的高濃度のホルマリンガスを充分に低減できる。
【発明を実施するための最良の形態】
【００２１】
以下、本発明を実施するための最良の形態について図面を用いて説明する。図１は本実施の形態によるホルマリンガス除去装置を概略的に示す正面図（加熱部を取り外した状態）である。図２は本実施の形態によるホルマリンガス除去装置を概略的に示す正面図（加熱部を取り付けた状態）である。
【００２２】
図１，図２に示すように、本実施の形態によるホルマリンガス除去装置１は、装置筐体２の外部の空気を取り入れるように開口した吸気口１１と、空気を外部に排出するように開口した排気口１６と、ホルマリンガスを分解し除去する金属酸化物触媒を含むフィルタ部１４と、吸気口１１から外部の空気を吸い込みフィルタ部１４を通して排気口１６から排出させるように設けられた空気吸込手段としての吸込ファン１２と、を装置筐体２に備えている。なお、フィルタ部１４は多段（例えば、２段）に構成してもよい。
【００２３】
ホルマリンガス除去装置１は、更に、装置筐体２内に、フィルタ部１４に接した下部空間部１３と、フィルタ部１４に接した上部空間部１５と、上下方向に吸気口１１と排気口１６との間に設けられ下部空間部１３に連通し外部に開口した循環バイパス口１７と、を備える。
【００２４】
図１のように、吸気口１１から方向ａに空気が吸込ファン１２により吸い込まれ、吸込ファン１２から方向ｂに空気が下部空間部１３に送られ、フィルタ部１４を通過した空気が上部空間部１５に送られて排気口１６から方向ｃへと排出されるようになっている。
【００２５】
図２のように、加熱部１０は、先端部が排気口１６内に挿入可能な配管部１８と、先端部が循環バイパス口１７内に挿入可能な配管部２０と、配管部１８と配管部２０との間に設けられた大径部１９と、を備える。大径部１９内には、排気口１６からの空気を循環バイパス口１７から下部空間部１３に送り込むファンと、ファンからの空気を加熱する加熱ヒータとが配置されている。
【００２６】
循環バイパス口１７は、図１の通常のホルマリン除去運転状態では、蓋１７ａで閉塞されており、フィルタ部１４のリフレッシュ運転のときには、図２のように加熱部１０を取り付けるため蓋１７ａを取り外して開放される。また、吸込ファン１２の空気出口１２ａは、図２の状態では、蓋１２ｂで閉塞され、図１の状態では、蓋１２ｂを取り外して開放される。
【００２７】
加熱部１０は、配管部１８を排気口１６に差し込み、配管部２０を循環バイパス口１７に差し込むことで、装置筐体２に取り付けることができ、また、配管部１８と配管部２０を排気口１６及び循環バイパス口１７から引き抜くことで、装置筐体２から取り外すことができる。このように、加熱部１０は装置筐体２に対し着脱自在になっている。このため、加熱部１０は、ホルマリンガス除去装置１において容易に取り付けることができかつ取り外すことができる。
【００２８】
図２のように、加熱部１０が装置筐体２に取り付けられると、上部空間部１５と下部空間部１３との間にバイパス経路が構成され、大径部１９内の加熱ヒータとファンが作動することで、空気が上部空間部１５から排気口１６を通して方向ｅに送られ、大径部１９内で空気が加熱されて循環バイパス口１７から方向ｄに下部空間部１３へと送られてフィルタ部を通過するようにして空気が循環するようになっている。
【００２９】
フィルタ部１４は、過マンガン酸カリウム触媒等の金属酸化物触媒が担持されたハニカム構造の触媒フィルタから構成され、ホルマリンガスの主成分であるホルムアルデヒドを効率的に分解することができ、ホルマリンガスを含む空気を常温で濾過し清浄化できる。なお、過マンガン酸カリウム触媒等の金属酸化物触媒はアセトアルデヒドガスの除去効果を併せて持つ。
【００３０】
フィルタ部１４では金属酸化物触媒が下記化学反応式（１）〜（４）を経て、下記化学反応式（５）のようにホルムアルデヒドを室温で水と二酸化炭素に分解でき、数千ｐｐｍの高濃度のホルムアルデヒドガス成分を除去し、空気中のホルムアルデヒドガス濃度を低減でき、ホルマリンガスを含む空気を無害化する。
【００３１】
ＨＣＨＯ(g)＋Ｏ(a) → ＨＣＨＯＯ(a)      （１）
ＨＣＨＯＯ(a) → ＨＣＯＯ(a)＋Ｈ(a)      （２）
ＨＣＯＯ(a) → ＣＯ２(g)＋Ｈ(a)           （３）
２Ｈ(a)＋Ｏ(a) → Ｈ２Ｏ                  （４）
――――――――――――――――――――――――
ＨＣＨＯ＋Ｏ２  → Ｈ２Ｏ＋ＣＯ２            （５）
なお、上記化学反応式（１）〜（４）において、(g)は気体であることを意味し、(a)は触媒表面への吸着を意味する。
【００３２】
また、図２のように加熱部１０が取り付けられてフィルタ部１４を通過する空気の温度が高くなると、フィルタ表面に付着したホルマリンガス成分や中間生成物である蟻酸等が放散して除去されることで、触媒によるホルマリンガス分解効果を高い状態に維持できる。即ち、過マンガン酸カリウム触媒等の金属酸化物触媒が使用中に劣化するのは、フィルタ表面にホルマリンガス成分や中間生成物である蟻酸等が付着し、上記化学反応式（１）や（４）で酸素を吸着する触媒表面の有効面積が減少することが原因であり、触媒自体の劣化ではないことから、これらの付着物を加熱により除去することで、触媒をホルマリンガス分解効果の高い初期状態に戻すことができ、フィルタ部１４をリフレッシュすることができる。
【００３３】
上述のようなフィルタ部１４に具体的に適用可能なものとして、例えば、株式会社忍足研究所から販売されているホルムアルデヒド分解除去フィルタなどがある。
【００３４】
次に、図１，図２のホルマリンガス除去装置１によるホルマリンガス除去工程について図３のフローチャートを参照して説明する。
【００３５】
例えば、動物実験室等においてホルマリンガスを発生させてホルマリン薫蒸殺菌を行った後に、室内に設置した図１の状態のホルマリンガス除去装置１を作動させることで（Ｓ０１）、室内の空気に含まれているホルマリンガスを分解して除去する（Ｓ０２）。なお、この場合、図１の排気口１６に換気ダクトを接続して部屋の外部に排気することが好ましい。
【００３６】
上述のホルマリンガス除去装置１の作動中に、フィルタ部１４のリフレッシュが必要か否かを判断し（Ｓ０３）、リフレッシュが必要な場合、ホルマリンガス除去装置１を停止し、図２のようにホルマリンガス除去装置１に加熱部１０を取り付ける（Ｓ０４）。なお、フィルタ部１４のリフレッシュが必要か否かは、例えば、ホルマリンガス除去装置１の作動時間に基づいて判断できる。
【００３７】
次に、加熱部１０の大径部１９内の加熱ヒータとファンを作動させることで、上部空間部１５内の空気が排気口１６を通して大径部１９内で加熱され、加熱された空気が循環バイパス口１７から下部空間部１３へと送り込まれてフィルタ部１４を通過するようにして空気が循環する。この加熱された空気によりフィルタ部１４のホルマリンガス成分や中間生成物の付着物を除去することで、フィルタ部１４をリフレッシュする（Ｓ０５）。
【００３８】
上述のフィルタ部１４のリフレッシュが終了し、更に室内のホルマリンガスの除去を行うか否かを判断し（Ｓ０６）、除去を行う場合は、ホルマリンガス除去装置１から加熱部１０を取り外し図１の状態としてから（Ｓ０７）、上述のステップＳ０１に戻りホルマリンガスの除去動作を続ける。
【００３９】
また、上記ステップＳ０３でフィルタ部１４のリフレッシュが必要でないと判断したときは、室内のホルマリンガスの除去を続けるか否かを判断し（Ｓ０８）、続ける場合は、上述のステップＳ０２に戻りホルマリンガスの除去動作を続ける。なお、上述のステップＳ０６及びＳ０８における室内のホルマリンガスの除去を行うか否かは、例えば、ホルマリンガス除去装置１の作動時間に基づいて判断できる。
【００４０】
以上のように、本実施の形態のホルマリンガス除去装置１によれば、吸気口１１から吸い込んだ空気をフィルタ部１４を通して排気口１６から排出させることで空気中に含まれるホルマリンガスをフィルタ部１４で常温で効率的に分解し除去することができる。一方、フィルタ部１４をリフレッシュするときには、加熱部１０を取り付けることで、排気口１６からの空気を加熱してフィルタ部１４の上流側に戻すようにして循環させながら加熱された空気をフィルタ部１４を通過させる。これにより、フィルタ部１４に付着したホルマリンガス成分や中間生成物を放散させて除去することができるから触媒によるホルマリンガス分解効果を高い状態に維持できる。このため、フィルタ部１４を取り出さずにフィルタ部１４に付着した付着物を除去できるので、例えばホルマリン薫蒸殺菌が行われる動物実験室等にホルマリンガス除去装置１を設置した場合に室内の清浄度を確保できる。しかも触媒によるホルマリンガス分解効果を高く維持できるので、室内の空気に含まれる数千ｐｐｍ程度の高濃度のホルマリンガスを充分に低減できる。
【００４１】
なお、図３では、ホルマリンガス除去装置１の排気口１６に換気ダクトを接続したが、ホルマリンガス除去装置１の作動により室内のホルマリンガス濃度が低下し比較的低くなった場合や始めから比較的低い場合は、ホルマリンガス除去装置１を図１の状態で排気口１６からの空気を部屋内に排出するようにして作動させてもよい。
【００４２】
次に、図１，図２のホルマリンガス除去装置１の別の例について図４を参照して説明する。図４は別の例のホルマリンガス除去装置を正面から見た図１，図２と同様の図である。なお、図４では、図１，図２のホルマリンガス除去装置と同じ部分には同じ符号を付け、その説明は省略する。
【００４３】
図４のホルマリンガス除去装置１’は、空気吸込手段として吸引ブロア１２ａを設け、吸引ブロア１２ａの吸込口は吸気口１１に連通し、排気口は配管２３を通して下部空間部１３に連通している。配管２３の上部は蓋２３ａで開閉可能になっており、通常のホルマリン除去運転のときは開放され、フィルタ部のリフレッシュ運転のときは閉塞される。同様に、下部空間部１３に連通する循環バイパス口１７は、図１，図２と同様に蓋で開閉可能になっており、通常のホルマリン除去運転のときは閉塞され、フィルタ部のリフレッシュ運転のときは開放される。また、下部空間部１３の下側には、断熱材２２が支持プレート２２ａで支持されて設けられている。また、装置筐体２の側面には制御操作部２１が設けられており、吸引ブロア１２ａのオンオフ等の操作ができるようになっている。
【００４４】
下部空間部１３の上部には、ホルマリンガス除去のために２段のフィルタ部１４ａ、１４ｂが配置されている。各フィルタ部１４ａ、１４ｂは、図１，図２と同様に、過マンガン酸カリウム触媒等の金属酸化物触媒が担持されたハニカム構造の触媒フィルタから構成され、ホルマリンガスの主成分であるホルムアルデヒドを効率的に分解することができ、二段にすることでより確実に分解でき、ホルマリンガスを含む空気を常温で濾過し清浄化できる。
【００４５】
また、２段目のフィルタ部１４ｂの上部には、空気を更に清浄化するためにＨＥＰＡフィルタ部２４が配置されている。ＨＥＰＡフィルタ部２４の上部に、上部空間部１５が形成されている。
【００４６】
図４の破線で示すように、加熱部１０の大径部１９内には、上部空間部１５内の空気を下部空間部１３に送り込む吸引ファン１９ａが上流側に配置され、通電により発熱する加熱ヒータ１９ｂが下流側に配置されている。吸引ファン１９ａからの空気が加熱ヒータ１９ｂで加熱されて下部空間部１３へと送られる。吸引ファン１９ａ及び加熱ヒータ１９ｂは制御操作部２１でオンオフ制御される。
【００４７】
図４のホルマリンガス除去装置１’によれば、図１〜図３と同様に動作し、空気中に含まれるホルマリンガスをフィルタ部１４で常温で分解し除去でき、また、加熱部１０を装置筐体に取り付けて上部空間部１５と下部空間部１３との間にバイパス経路を構成することで、上述と同様にしてフィルタ部１４ａ，１４ｂをリフレッシュでき、例えばホルマリン薫蒸殺菌が行われる製薬工場等の充填室等にホルマリンガス除去装置を設置した場合に室内の清浄度を確保でき、しかも触媒によるホルマリンガス分解効果を高く維持できるので、室内の空気に含まれる数千ｐｐｍ程度の高濃度のホルマリンガスを充分に低減できる。更に、ＨＥＰＡフィルタ部２４で空気を一層清浄化できるので、図４のホルマリンガス除去装置１’は、清浄度がより高く求められる製薬工場等の充填室等に用いて好ましい。
【００４８】
図４のＨＥＰＡフィルタ部２４は、フィルタ部１４ａ，１４ｂのリフレッシュのための加熱を考慮して耐熱性のものが好ましく、例えば、８０〜２００℃程度の温度に耐えられるものがよい。
【００４９】
なお、図１，図２のホルマリンガス除去装置１は、ホルマリン薫蒸殺菌が行われる動物実験室等に用いて好ましいが、図４のように、フィルタ部１４の後段にＨＥＰＡフィルタを配置することで、ホルマリン薫蒸殺菌が定期的に行われかつ空気の高い清浄度も要求される製薬工場等の充填室等のような室内で用いることができる。
【００５０】
以上のように本発明を実施するための最良の形態について説明したが、本発明はこれらに限定されるものではなく、本発明の技術的思想の範囲内で各種の変形が可能である。例えば、図１〜図４では、ホルマリンガス除去装置１，１’をホルマリン薫蒸殺菌を行う製薬工場の充填室や動物実験室等に設置して使用する例を説明したが、本発明は、これに限定されずに他の用途に用いることができることは勿論である。例えば、病院や医療検査機関の検査室や病理解剖室や標本室等ではホルマリンを使用しており、室内のホルマリンガス臭いの除去対策が必要とされるので、かかる室内で用いることで、ホルマリンガスを充分に低減できホルマリンガス臭いを除去できる。
【００５１】
また、ホルマリンに含まれるホルムアルデヒドは新築や増改築の住宅・マンションに使用される建材（壁材、床材、天井材、その他内装材等）などに使用される接着剤に含まれており、かかる建材から発散するホルムアルデヒドやアセトアルデヒド等が原因とされるアレルギー症が問題となっているが、建材に接着剤を使用した施工後の部屋内で用いることで、ホルムアルデヒドやアセトアルデヒドを充分に低減でき、アレルギー症対策となる。
【００５２】
また、図２，図４では、加熱部１０によるフィルタ部のリフレッシュのための加熱は、空気をフィルタ部の下流側の上部空間部１５から上流側の下部空間部１３へと循環させながら行ったが、逆に、フィルタ部の上流側の下部空間部１３から下流側の上部空間部１５へと空気を循環させながら行うようにしてもよい。この場合、図２，図４の加熱部１０を上下逆にして、配管部１８を循環バイパス口１７に差し込み、配管部２０を排気口１６に差し込むようにして加熱部１０を取り付ける。
【図面の簡単な説明】
【００５３】
【図１】本実施の形態によるホルマリンガス除去装置を概略的に示す正面図（加熱部を取り外した状態）である。
【図２】本実施の形態によるホルマリンガス除去装置を概略的に示す正面図（加熱部を取り付けた状態）である。
【図３】図１，図２のホルマリンガス除去装置によるホルマリンガス除去工程を説明するためのフローチャートである。
【図４】別の例のホルマリンガス除去装置を正面から見た図１，図２と同様の図である。
【符号の説明】
【００５４】
１、１’ホルマリンガス除去装置
２ 装置筐体
１０ 加熱部
１１ 吸気口
１２ 吸込ファン（空気吸込手段）
１２ａ 吸引ブロア（空気吸込手段）
１３ 下部空間部
１４ フィルタ部
１５ 上部空間部
１６ 排気口
１７ 循環バイパス口
１８，２０ 配管部
１９ 大径部
１９ａ 吸引ファン
１９ｂ 加熱ヒータ
１４ａ，１４ｂ フィルタ部
２４ ＨＥＰＡフィルタ部
【図１】
2005323809.tif 000003
【図２】
2005323809.tif 000004
【図３】
2005323809.tif 000005
【図４】
2005323809.tif 000006